(57)【要約】【課題】表面が平坦で凹凸がほとんど感じられず、且つ回収の容易なＩＣタグ封入体やその製法を提案する。【解決手段】アンテナ２となる配線基板３上にＩＣチップ４を載置したＩＣタグ１の上面にフィルム５が封着され、このフィルム５は、ＩＣチップ４を臨ませる開口６を有し、この開口６内に封止材７が封入され、上面が平坦化される。これにより、フィルム付ＩＣタグ１は上下面とも平坦となる。台紙１０は中央にＩＣタグ１に相応する形状の切り抜き部１１を有し、その厚さはＩＣタグ１の厚さに等しい。この台紙１０の切り抜き部１１にＩＣタグ１を嵌め込むとその上下面は平坦となる。台紙１０の上下面には同形状の封止紙２０，２１を封着する。【選択図】  図２
2005235150.tif 000002
【特許請求の範囲】
【発明の詳細な説明】
【技術分野】
【０００１】  本発明は、無線通信可能なようにアンテナを組み込んだアンテナ付ＩＣチップ、すなわちＩＣタグに関する。
【背景技術】
【０００２】  最近の物流現場では、伝票やバーコードに代わってＩＣタグの利用が検討されている。すなわち、ＩＣタグは非接触式の無線通信で離れたコンピュータとデータをやり取りでき、その管理できるデータ量も桁違いに多いため、将来的に物流管理はＩＣタグが主流になると予想される。【０００３】  そのＩＣタグは使用後に回収して再利用するものであるが、これを可能とするＩＣタグ封入体として特許文献１のような技術が提案されている。【０００４】
【特許文献１】  特開２００２−１５７５６９
【０００５】  このＩＣタグ封入体は、ベース材と被覆材との重ね合わせ内面にＩＣタグを非接着状態で装填し、その周辺外側におけるベース材と被覆材の重ね合わせ内面を接着剤層により接合してあるものであるが、ＩＣタグは回収用に非接着のため、装填部内で自由に動けてしまう。また、通常、可撓性のアンテナ基板にＩＣチップを載置した構造のＩＣタグでは、ＩＣチップを封止材のポッティングにより封止しただけのものであるため、上面が凸凹しており、封止体を紙製とした場合など、その表面から触ってみると封止部分が凸凹しているし、このために当該部分が強度的に弱くなる。
【発明の開示】
【発明が解決しようとする課題】
【０００６】  本発明は上記課題に鑑みたもので、表面が平坦で凹凸がほとんど感じられず、且つ回収の容易なＩＣタグ封入体やその製法を提案する。
【課題を解決するための手段】
【０００７】  本発明によるＩＣタグ封入体の製造方法は、アンテナとなる配線基板上にＩＣチップを載置してなるＩＣタグの上面に、そのＩＣチップを収容可能な形状の開口を有し且つＩＣタグと同形状としたフィルムを封着し、該封着したフィルムの開口に封止材を封入してこの開口に臨んでいるＩＣチップを密封するとともに当該フィルム上面を平坦化するフィルム付ＩＣタグの製造過程と、このフィルム付ＩＣタグの厚さ相当の厚みをもち且つＩＣタグに相応する形状の切り抜き部を形成した台紙のその切り抜き部にフィルム付ＩＣタグを嵌め込み、このフィルム付ＩＣタグを嵌め込んだ台紙の上下面に封止紙を封着してフィルム付ＩＣタグを封じ込める封止過程と、を含むことを特徴とする。【０００８】  そして本発明では、このような製造方法により製造されたＩＣタグ封入体も提供される。すなわち、アンテナとなる配線基板上にＩＣチップを載置してなるＩＣタグの上面に、そのＩＣチップを収容可能な形状の開口を有し且つＩＣタグと同形状としたフィルムを封着し、該封着したフィルムの開口に封止材を封入して該開口に臨んでいるＩＣチップを密封するとともに当該フィルム上面を平坦化してなるフィルム付ＩＣタグと、このフィルム付ＩＣタグの厚さ相当の厚みをもち且つＩＣタグに相応する形状の切り抜き部を形成し、その切り抜き部にフィルム付ＩＣタグを嵌め込んだ台紙と、このフィルム付ＩＣタグを嵌め込んだ台紙の上下面に封着されてフィルム付ＩＣタグを封じ込めている封止紙と、からなることを特徴とするＩＣタグ封入体が提供される。【０００９】  このようなＩＣタグ封入体からＩＣタグを回収する回収方法として本発明では、ＩＣタグ封入体を水に浸して台紙及び封止紙を剥離させることでその中のフィルム付ＩＣタグを取り出し回収することを特徴とする回収方法を提案する。
【発明の効果】
【００１０】  本発明の製造方法及びこれにより得られるＩＣタグ封入体によれば、開口付フィルムをＩＣタグに封着し、その開口に封止材を封入して埋めることで、ＩＣタグの上面（ＩＣチップ載置面）を平坦化している。そしてこれを、相応の厚みをもつ台紙の切り抜き部に嵌め込むことで台紙及びＩＣタグを合わせて平坦化を達成している。したがって、この表面に適当な封止紙を封着すれば、全体的に平坦で凹凸のないＩＣタグ封入体が形成される。しかも、ＩＣタグは相応形状の切り抜き部に嵌め込んで保持されているので、中で動いたりすることもない。【００１１】  さらにＩＣタグは、台紙に嵌め込まれて封止紙で上下から抑えてあるだけなので、水につけるだけの簡単な方法で容易に回収することができる。
【発明を実施するための最良の形態】
【００１２】  図１にフィルム付ＩＣタグ、図２にそのフィルム付ＩＣタグを封入した封入体の一例を  示し、本発明の実施形態を説明する。【００１３】  ＩＣタグ１は、アンテナ２を印刷した配線基板３上にＩＣチップ４をボンディングして形成され、その上面に、平坦化用のフィルム５が封着されている。フィルム５は、ＩＣチップ４を臨ませる開口６を有し、この開口６内に封止材７が封入され、上面が平坦化される。これにより、フィルム付ＩＣタグ１は上下面とも平坦となり、且つＩＣチップ４の保護にも十分となる。【００１４】  このフィルム付ＩＣタグ１を嵌め込む台紙１０は、中央に、ＩＣタグ１に相応する形状の切り抜き部１１を有し、その厚さは、フィルム付ＩＣタグ１の厚さに等しいものとしてある。したがって、この台紙１０の切り抜き部１１にフィルム付ＩＣタグ１を嵌め込むと、その上下面は平坦となり、ほぼ凹凸のない面が形成される。このとき、接着剤等は使用せず、台紙１０にフィルム付ＩＣタグ１を嵌め込むだけである。【００１５】  台紙１０にフィルム付ＩＣタグ１を嵌め込んだ後、その上下面に、本例では台紙１０と同形状の封止紙２０，２１を封着する。これら封止紙２０，２１は、台紙１０との当接面に接着剤を施して接着し、フィルム付ＩＣタグ１の部分には何もつけないでおく。これによりフィルム付ＩＣタグ１は、無接着状態で、上下左右を台紙１０及び封止紙２０，２１で挟み込まれて動かないように封じ込められる。【００１６】  このようなＩＣタグ封入体からＩＣタグ１を回収するには、全体をたとえば水やある溶剤につけるなどすれば、フィルム付ＩＣタグ１は無接着なうえ、台紙１０及び封止紙２０，２１とも紙製なので簡単に剥離し、フィルム付ＩＣタグ１だけを取り出して回収することができる。
【図面の簡単な説明】
【００１７】
【図１】  図１は本発明係るフィルム付ＩＣタグを示した図。
【図２】  図２は図１のフィルム付ＩＣタグを封入した本発明に係るＩＣタグ封入体を示した図。
【符号の説明】
【００１８】１  フィルム付ＩＣタグ
２  アンテナ
３  配線基板
４  ＩＣチップ
５  フィルム
６  開口
７  封止材
１０  台紙
１１  切り抜き部
２０，２１  封止紙
【図１】
2005235150.tif 000003
【図２】
2005235150.tif 000004
【手続補正書】
【提出日】平成16年6月15日(2004.6.15)
【手続補正２】
【補正対象書類名】特許請求の範囲
【補正対象項目名】全文
【補正方法】変更
【補正の内容】
【特許請求の範囲】
【請求項１】
アンテナとなる配線基板上にＩＣチップを載置してなるＩＣタグの上面に、前記ＩＣチップを収容可能な形状の開口を有し且つ前記ＩＣタグと同形状としたフィルムを封着し、該封着したフィルムの前記開口に封止材を封入して該開口に臨んでいる前記ＩＣチップを密封するとともに当該フィルム上面を平坦化するフィルム付ＩＣタグの製造過程と、
このフィルム付ＩＣタグの厚さ相当の厚みをもち且つ前記ＩＣタグに相応する形状の切り抜き部を形成した台紙のその切り抜き部に前記フィルム付ＩＣタグを嵌め込み、このフィルム付ＩＣタグを嵌め込んだ台紙の上下面に封止紙を封着して前記フィルム付ＩＣタグを封じ込める封止過程と、を含むことを特徴とするＩＣタグ封入体の製造方法。
【請求項２】
請求項１に記載の製造方法により製造されたＩＣタグ封入体。
【請求項３】
アンテナとなる配線基板上にＩＣチップを載置してなるＩＣタグの上面に、前記ＩＣチップを収容可能な形状の開口を有し且つ前記ＩＣタグと同形状としたフィルムを封着し、該封着したフィルムの前記開口に封止材を封入して該開口に臨んでいる前記ＩＣチップを密封するとともに当該フィルム上面を平坦化してなるフィルム付ＩＣタグと、
このフィルム付ＩＣタグの厚さ相当の厚みをもち且つ前記ＩＣタグに相応する形状の切り抜き部を形成し、その切り抜き部に前記フィルム付ＩＣタグを嵌め込んだ台紙と、
このフィルム付ＩＣタグを嵌め込んだ台紙の上下面に封着されて前記フィルム付ＩＣタグを封じ込めている封止紙と、からなることを特徴とするＩＣタグ封入体。
【請求項４】
請求項２又は請求項３に記載のＩＣタグ封入体からフィルム付ＩＣタグを回収する回収方法であって、前記ＩＣタグ封入体を水に浸して台紙及び封止紙を剥離させることで前記フィルム付ＩＣタグを取り出し回収することを特徴とする回収方法。